(57)【要約】【課題】自動排水栓により排水口を開放して浴槽内の湯水を排水する構成と比較して、浴槽内の湯水を短時間で排水することができる排水システムを得る。【解決手段】排水システム１２は、浴槽１８の底部１９に設けられ、浴槽１８内の湯水を浴槽１８の上部側からあふれさせて排水する排水装置３０と、浴槽１８内の入浴者が異常となり得る所定の入浴状態を検出する生体情報センサ５２と、生体情報センサ５２により所定の入浴状態が検出されたときに排水装置３０を作動させる制御ユニット５４と、を有する。【選択図】図１
2018164693.tif 000002
【特許請求の範囲】
【請求項１】
浴槽の壁部に設けられ、前記浴槽内の湯水を前記浴槽の上部側からあふれさせて排水し、又は前記壁部の一部を外して排水する排水手段と、
前記浴槽内の入浴者が異常となり得る所定の入浴状態を検出する入浴状態検出手段と、
前記入浴状態検出手段により前記所定の入浴状態が検出されたときに、前記排水手段を作動させる制御部と、
を有する排水システム。
【請求項２】
前記排水手段は、
前記浴槽の前記壁部に設けられたエアバックと、
作動時に供給するガスによって前記エアバックを膨張させる膨張装置と、
を有し、
前記エアバックが膨張することで、前記浴槽内の湯水を押し出して前記浴槽の上部側からあふれさせて排水する構成とされた請求項１に記載の排水システム。
【請求項３】
前記排水手段は、
前記浴槽の前記壁部の一部に設けられ、前記浴槽の前記壁部の他部に形成された被係合部に係合される係合部と、
前記壁部の一部を前記係合部が前記被係合部から外れる方向に移動させる移動装置と、
を有し、
前記壁部の一部が前記壁部の他部から外されて形成された開口部から前記浴槽内の湯水を排水する構成とされた請求項１に記載の排水システム。
【請求項４】
前記入浴状態検出手段は、前記浴槽内の入浴者の心拍数を検出する心拍数検出手段、入浴者の位置を検出する人体検出手段、入浴者の血圧を検出する血圧検出手段、及び入浴者の心電図を検出する心電図検出手段の少なくとも１つ以上を備え、
前記制御部は、前記心拍数検出手段、前記人体検出手段、前記血圧検出手段、前記心電図検出手段の少なくとも１つ以上で検出された情報による入浴者の入浴状態に基づき、前記排水手段を作動させる請求項１から請求項３までのいずれか１項に記載の排水システム。
【請求項５】
浴室に設けられると共に、音声を出力する報知手段が配置されたリモートコントローラを備え、
前記制御部は、前記排水手段を作動させる前に、前記浴槽内の湯水が排水されることを前記報知手段から報知する請求項１から請求項４までのいずれか１項に記載の排水システム。
【請求項６】
請求項１から請求項５までのいずれか１項に記載の排水システムと、
前記排水システムに設けられ、湯水が溜められる浴槽と、
を有する浴室システム。
【発明の詳細な説明】
【技術分野】
【０００１】
本発明は、排水システム及び浴室システムに関する。
【背景技術】
【０００２】
下記特許文献１には、入浴者の心拍数から入浴者の状態を把握し、それに基づいて入浴者の浴槽内における動きがないと検出され、かつ計測された心拍数に異常があったときに、浴槽の底面に配設された自動排水栓から浴槽内の湯水を排出させる浴室システムが開示されている。なお、浴槽の底面に配設された自動排水栓を備え、警報時に自動排水栓を開くシステムとして、特許文献２に記載されたものがある。
【先行技術文献】
【特許文献】
【０００３】
【特許文献１】特開２００４−２７５３４７号公報
【特許文献２】特開２００３−１２３１６２号公報
【発明の概要】
【発明が解決しようとする課題】
【０００４】
上記特許文献１に記載の浴室システムでは、例えば、自動排水栓を後付で施工する場合、浴槽内に設けられるポップアップ排水栓を用いることとなり、適用できる浴槽が制限される。また、自動排水栓により開放された排水口から浴槽内の湯水を排水するため、排水に時間がかかる。
【０００５】
本発明は、上記問題点に鑑みてなされたものであり、自動排水栓により排水口を開放して浴槽内の湯水を排水する構成と比較して、浴槽内の湯水を短時間で排水することができる排水システム及び浴室システムを提供することを目的とする。
【課題を解決するための手段】
【０００６】
請求項１に記載の発明に係る排水システムは、浴槽の壁部に設けられ、前記浴槽内の湯水を前記浴槽の上部側からあふれさせて排水し、又は前記壁部の一部を外して排水する排水手段と、前記浴槽内の入浴者が異常となり得る所定の入浴状態を検出する入浴状態検出手段と、前記入浴状態検出手段により前記所定の入浴状態が検出されたときに、前記排水手段を作動させる制御部と、を有する。
【０００７】
請求項１に記載の発明によれば、浴槽の壁部には、浴槽内の湯水を浴槽の上部側からあふれさせて排水し、又は壁部の一部を外して排水する排水手段が設けられている。制御部は、入浴状態検出手段により浴槽内の入浴者が異常となり得る所定の入浴状態が検出されたときに、排水手段を作動させる。これにより、排水手段によって、浴槽内の湯水が浴槽の上部側からあふれることで排水され、又は、壁部の一部が外されて浴槽内の湯水が排水される。このため、自動排水栓により排水口を開放して浴槽内の湯水を排水する構成と比較して、浴槽内の湯水を短時間で排水することができる。したがって、浴槽内で入浴者が、例えば意識を失った場合などに、入浴者が浴槽内で溺れてしまうことを未然に防止することができる。
【０００８】
請求項２に記載の発明は、請求項１に記載の排水システムにおいて、前記排水手段は、前記浴槽の前記壁部に設けられたエアバックと、作動時に供給するガスによって前記エアバックを膨張させる膨張装置と、を有し、前記エアバックが膨張することで、前記浴槽内の湯水を押し出して前記浴槽の上部側からあふれさせて排水する構成とされている。
【０００９】
請求項２に記載の発明によれば、浴槽の壁部にエアバックが設けられている。膨張装置は、作動時にガスを供給することで、エアバックを膨張させる。エアバックが膨張することで、浴槽内の湯水がエアバックによって押し出され、湯水が浴槽の上部側からあふれることで排水される。このため、自動排水栓により排水口を開放して浴槽内の湯水を排水する構成と比較して、浴槽内の湯水を短時間で排水することができる。
【００１０】
請求項３に記載の発明は、請求項１に記載の排水システムにおいて、前記排水手段は、前記浴槽の前記壁部の一部に設けられ、前記浴槽の前記壁部の他部に形成された被係合部に係合される係合部と、前記壁部の一部を前記係合部が前記被係合部から外れる方向に移動させる移動装置と、を有し、前記壁部の一部が前記壁部の他部から外されて形成された開口部から前記浴槽内の湯水を排水する構成とされている。
【００１１】
請求項３に記載の発明によれば、浴槽の壁部の一部には、係合部が設けられており、係合部が、浴槽の壁部の他部に形成された被係合部に係合されている。移動装置は、作動時に係合部が被係合部から外れる方向に壁部の一部を移動させることで、壁部の一部が浴槽の壁部の他部から外れて開口部が形成される。これにより、開口部から浴槽内の湯水が排水される。このため、自動排水栓により排水口を開放して浴槽内の湯水を排水する構成と比較して、浴槽内の湯水を短時間で排水することができる。
【００１２】
請求項４に記載の発明は、請求項１から請求項３までのいずれか１項に記載の排水システムにおいて、前記入浴状態検出手段は、前記浴槽内の入浴者の心拍数を検出する心拍数検出手段、入浴者の位置を検出する人体検出手段、入浴者の血圧を検出する血圧検出手段、及び入浴者の心電図を検出する心電図検出手段の少なくとも１つ以上を備え、前記制御部は、前記心拍数検出手段、前記人体検出手段、前記血圧検出手段、前記心電図検出手段の少なくとも１つ以上で検出された情報による入浴者の入浴状態に基づき、前記排水手段を作動させる。
【００１３】
請求項４に記載の発明によれば、浴槽内の入浴者の心拍数を検出する心拍数検出手段、入浴者の位置を検出する人体検出手段、入浴者の血圧を検出する血圧検出手段、及び入浴者の心電図を検出する心電図検出手段の少なくとも１つ以上を備えている。制御部は、心拍数検出手段、人体検出手段、血圧検出手段、心電図検出手段の少なくとも１つ以上で検出された情報による入浴者の入浴状態に基づき、排水手段を作動させる。これにより、例えば、入浴者の心拍数や血圧が許容値よりも高い場合、入浴者が動かない場合などに、浴槽内の湯水を浴槽の上部側からあふれさせて短時間に排水し、又は壁部の一部を外して浴槽内の湯水を短時間に排水することができる。
【００１４】
請求項５に記載の発明は、請求項１から請求項４までのいずれか１項に記載の排水システムにおいて、浴室に設けられると共に、音声を出力する報知手段が配置されたリモートコントローラを備え、前記制御部は、前記排水手段を作動させる前に、前記浴槽内の湯水が排水されることを前記報知手段から報知する。
【００１５】
請求項５に記載の発明によれば、浴室に報知手段が配置されたリモートコントローラを備えており、制御部は、排水手段を作動させる前に、浴槽内の湯水が排水されることを音声で報知手段から入浴者に報知する。このため、入浴者に事前に知らせることなく、いきなり浴槽内の湯水が排水されることが回避される。
【００１６】
請求項６に記載の発明に係る浴室システムは、請求項１から請求項５までのいずれか１項に記載の排水システムと、前記排水システムに設けられ、湯水が溜められる浴槽と、を有する。
【００１７】
請求項６に記載の発明によれば、請求項１から請求項５までのいずれか１項に記載の排水システムを備えているので、排水手段を作動させることで、浴槽内の湯水を短時間で排水することができる。
【発明の効果】
【００１８】
本発明によれば、自動排水栓により排水口を開放して浴槽内の湯水を排水する構成と比較して、浴槽内の湯水を短時間で排水することができる。
【図面の簡単な説明】
【００１９】
【図１】本発明の第１実施形態に係る排水システムを備えた浴室システムを示す概略構成図である。
【図２】図１に示す排水システムを備えた浴室システムの動作を制御するための制御系のブロック図である。
【図３】図１に示す浴室システムにおいて、異常となり得る所定の入浴状態が検出されたときに、排水装置が作動した状態を示す概略構成図である。
【図４】本発明の第２実施形態に係る排水システムを備えた浴室システムを示す斜視図である。
【図５】本発明の第２実施形態に係る排水システムを備えた浴室システムを示す概略構成図である。
【図６】図４及び図５に示す排水システムを備えた浴室システムの動作を制御するための制御系のブロック図である。
【図７】図４及び図５に示す浴室システムにおいて、異常となり得る所定の入浴状態が検出されたときに、排水装置が作動した状態を示す概略構成図である。
【発明を実施するための形態】
【００２０】
以下、本発明の実施の形態を図面に基づいて説明する。
【００２１】
〔第１実施形態〕
図１〜図３を用いて、本発明の第１実施形態である排水システムについて説明する。
【００２２】
図１には、本発明の第１実施形態である排水システム１２を備えた浴室システム１０が概略構成図にて示されている。図１に示されるように、浴室システム１０は、浴室１４に、湯水が溜められる浴槽１８を備えている。浴槽１８は、壁部としての底部１９と、底部１９の周囲を囲むように立ち上げられた側部２０と、を備えている。本実施形態では、底部１９と側部２０とが一体的に成形されているが、この構成に代えて、側部２０にエプロンが着脱可能に取り付けられている構成でもよい。
【００２３】
浴槽１８の底部１９には、排水口２２が設けられており、この排水口２２を塞ぐ排水栓２４が設けられている。排水栓２４は、キャップ状とされており、排水口２２に挿入される軸部２４Ａと、軸部２４Ａの一端に形成された頭部２４Ｂと、を備えている。本実施形態では、排水栓２４は、手動によって排水口２２に抜き差しする通常の排水栓とされている。図示を省略するが、排水栓２４の頭部２４Ｂには、浴槽１８の上部側から延びる鎖等の接続部材の一端部が繋がれている。
【００２４】
浴槽１８の底部１９には、浴槽１８内の湯水を浴槽１８の上部側からあふれさせて排水する排水手段の一例としての排水装置３０が設けられている。排水装置３０は、浴槽１８の底部１９の上面に設けられたエアバック３２と、底部１９の下面側に設けられた膨張装置としてのインフレータ３４と、を備えている。エアバック３２は、底部１９の上面に折り畳まれた状態で配置されている。
【００２５】
エアバック３２の下側には、底部１９に貫通孔３６が形成されており、インフレータ３４は、貫通孔３６に挿通された接続部３５を介してエアバック３２の流入口（図示省略）に接続されている。インフレータ３４は、底部１９の下面に図示しない支持部材によって支持されている。インフレータ３４は、一例として、作動時に点火装置によりガス発生剤が燃焼し、ガスが発生する構成とされている。そして、インフレータ３４の作動時に発生したガスが接続部３５からエアバック３２に流入し、エアバック３２を膨張させるようになっている（図３参照）。排水装置３０は、浴槽１８内に湯水が溜められた状態で、エアバック３２を膨張させることで、浴槽１８内の湯水を押し出し、湯水を浴槽１８の側部２０の上部側からあふれさせて排水するようになっている。
【００２６】
本実施形態では、底部１９の上面にエアバック３２が露出しているが、エアバック３２の上面を覆うように保護シートを設けてもよい。なお、図１では、構成を分かりやすくするため、エアバック３２が底部１９の上面から突出する高さ（段差）が大きいが、実際には、エアバック３２は、折り畳まれた状態でより平坦な形状であり、底部１９の上面から突出する高さ（段差）は小さい。
【００２７】
浴室システム１０には、図示を省略するが、湯水を生成する熱源機と、熱源機と浴槽１８とに接続されると共に湯水が流れる配管と、配管から浴槽１８の側部２０に接続されて浴槽１８内に湯水を吐出する吐出口と、を備えている。これにより、浴槽１８内に湯水が溜められるようになっている。なお、本実施形態では、浴槽１８内に湯水を供給する方式については、特に制限されず、様々な方式が適用可能である。
【００２８】
本実施形態の排水システム１２を備えた浴室システム１０は、リモートコントローラ４０（以下、リモコン４０と略称する）と、制御ユニット５４と、を備えている。リモコン４０は、浴室１４の側壁３８に設けられている。制御ユニット５４は、一例として、浴室１４の外部の熱源機（図示省略）の内部に設けられている。リモコン４０と制御ユニット５４とはケーブルによって接続されている。
【００２９】
図２には、リモコン４０及び制御ユニット５４がブロック図にて示されている。図２に示されるように、リモコン４０は、浴室システム１０の運転状況等を表示する表示部４２と、浴室システム１０の所定の運転等を選択する複数のボタン（図３参照）を有する操作部４４と、を備えている。また、リモコン４０は、表示部４２及び操作部４４とそれぞれ電気的に接続されると共にリモコン４０を制御する制御部４６と、制御部４６に電気的に接続されると共に制御ユニット５４との通信を行う通信部４８と、を備えている。また、リモコン４０は、制御部４６と電気的に接続されると共に運転状況等の情報を音声として出力する報知手段としてのスピーカ５０を備えている。さらに、リモコン４０は、制御部４６と電気的に接続されると共に入浴者の生体情報を検出する生体情報センサ５２を備えている。
【００３０】
生体情報センサ５２としては、例えば、浴室１４（図１参照）内にいる者（入浴しているとは限らない）の位置を検出する人体検出手段としての人感センサ、入浴者の心拍数を検出する心拍数検出手段としての心拍数センサ、入浴者の血圧を検出する血圧検出手段としての血圧センサ、入浴者の心電図を検知する心電図検出手段としての心電図センサ等の少なくとも１つ以上が設けられている。そして、排水システム１２では、人感センサ、心拍数センサ、血圧センサ、心電図センサ等の少なくとも１つ以上で検出された生体情報による入浴者の入浴状態に基づき、排水装置３０を作動させる構成とされている。本実施形態では、生体情報センサ５２として、人感センサ、心拍数センサ、血圧センサ、及び心電図センサが設けられている。心拍数センサは、入浴者と非接触の状態で入浴者の心拍数を検出する構成とされている。また、血圧センサも同様に、入浴者と非接触の状態で入浴者の血圧を検出する構成とされている。また、心電図センサも同様に、入浴者と非接触の状態で入浴者の心電図を検出する構成とされている。
【００３１】
生体情報センサ５２としての人感センサで検出された浴室１４内にいる者の位置情報は、制御部４６に伝達される。また、生体情報センサ５２としての心拍数センサで検出された入浴者の心拍数の情報は、制御部４６に伝達される。また、生体情報センサ５２としての血圧センサで検出された入浴者の血圧の情報は、制御部４６に伝達される。さらに、生体情報センサ５２としての心電図センサで検出された入浴者の心電図の情報は、制御部４６に伝達される。制御部４６では、人感センサから出力された位置検出信号が処理されることで、浴室１４内にいる者の位置が特定される。また、制御部４６では、心拍数センサから出力された心拍数検出信号が処理されることで、入浴者の心拍数が計測される。同様に、制御部４６では、血圧センサから出力された血圧検出信号が処理されることで、入浴者の血圧が計測される。同様に、制御部４６では、心電図センサから出力された心電図検出信号が処理されることで、入浴者の心電図が計測される。制御部４６は、入浴者の位置情報、入浴者の心拍数の情報、入浴者の血圧の情報、及び入浴者の心電図の情報に対応する信号をそれぞれ通信部４８から制御ユニット５４に出力する。また、制御部４６は、操作部４４で各ボタン等の操作が行われたときに、各ボタン等の操作に対応する信号を通信部４８から制御ユニット５４に出力する。
【００３２】
制御ユニット５４は、熱源機（図示省略）の構成機器を動作させる燃焼ユニット５６と、燃焼ユニット５６と電気的に接続されると共に浴室システム１０の全体を制御する制御部５８と、制御部５８と電気的に接続されると共にリモコン４０等との通信を行う通信部６０と、を備えている。制御ユニット５４の通信部６０とリモコン４０の通信部４８とは電気的に接続されている。また、制御ユニット５４は、時間を計測するタイマ６２を備えており、タイマ６２は、制御部５８に電気的に接続されている。タイマ６２は、例えば、入浴時間などを計測する。また、通信部６０は、インフレータ３４（図１参照）を作動させるインフレータ作動部６６と電気的に接続されている。制御部５８は、通信部６０を介して信号を送信することで、インフレータ作動部６６によるインフレータ３４の作動を制御する。
【００３３】
制御部５８は、各運転を行うためのプログラムなどを記憶したＲＯＭ（読み出し専用メモリ）、リモコン４０や各センサ等から出力された信号に基づくデータを一時的に記憶するＲＡＭ（書き換え可能メモリ）、及び、各プログラムを実行するＣＰＵ（中央演算素子）等を有している。
【００３４】
リモコン４０から出力された浴室１４内にいる者の位置情報、入浴者の心拍数の情報、入浴者の血圧の情報、及び入浴者の心電図の情報に対応する信号は、それぞれ制御ユニット５４の制御部５８に入力されるようになっている。
【００３５】
生体情報センサ５２は、浴槽１８内の入浴者が異常となり得る所定の入浴状態を検出する入浴状態検出手段として機能している。例えば、制御部５８は、生体情報センサ５２としての人感センサで検出された浴槽１８内の入浴者の位置情報に基づき、入浴者の動きが一定時間以上無いことが検出されたときに、浴槽１８内の入浴者が異常となり得る所定の入浴状態と判定する。又は、制御部５８は、生体情報センサ５２としての心拍数センサによって検出された入浴者の心拍数が、所定の心拍数の一例としての第１の閾値以上となったときに、浴槽１８内の入浴者が異常となり得る所定の入浴状態と判定する。又は、生体情報センサ５２としての血圧センサによって検出された入浴者の血圧が、所定の血圧の一例としての第２の閾値以上となったときに、浴槽１８内の入浴者が異常となり得る所定の入浴状態と判定する。又は、生体情報センサ５２としての心電図センサによって検出された入浴者の心電図から読み取れる情報が、ある一定の条件を満たした場合に、浴槽１８内の入浴者が異常となり得る所定の入浴状態と判定する。制御部５８は、所定の入浴状態と判定されたときに、インフレータ作動部６６によりインフレータ３４（図１参照）を作動させる。これにより、インフレータ３４の作動時に発生するガスにより、エアバック３２を膨張させるようになっている（図３参照）。
【００３６】
本実施形態では、入浴者の心拍数の絶対値が、第１の閾値以上となったときに、排水装置３０を作動させるが、入浴者の心拍数の変化分（上昇分）が、所定の心拍数の変化値（上昇値）以上となったときに、排水装置３０を作動させるようにしてもよい。同様に、本実施形態では、入浴者の血圧の絶対値が、第２の閾値以上となったときに、排水装置３０を作動させるが、入浴者の血圧の変化分（上昇分）が、所定の血圧の変化値（上昇値）以上となったときに、排水装置３０を作動させるようにしてもよい。
【００３７】
次に、本実施形態の作用及び効果について説明する。
【００３８】
＜通常の入浴時＞
図１に示されるように、通常の入浴時には、エアバック３２が折り畳まれた状態で浴槽１８の底部１９に配置されている。浴槽１８に湯水が張られる際は、排水栓２４によって排水口２２が塞がれた状態で、例えば、リモコン４０の風呂自動ボタン（図示省略）が押されることで、浴槽１８内に湯水が溜められる。
【００３９】
＜異常検出時＞
制御部５８は、生体情報センサ５２（図２等参照）によって検出された生体情報に基づき、所定の条件下で異常検出と判定したとき、排水モードとなる。例えば、制御部５８は、生体情報センサ５２としての人感センサで検出された浴槽１８内の入浴者の位置情報に基づき、入浴者の動きが一定時間以上無いことが検出されたとき、生体情報センサ５２としての心拍数センサによって検出された入浴者の心拍数が、所定の心拍数の一例としての第１の閾値以上となったとき、生体情報センサ５２としての血圧センサによって検出された入浴者の血圧が、所定の血圧の一例としての第２の閾値以上となったとき、又は生体情報センサ５２としての心電図センサによって検出された入浴者の心電図から読み取れる情報が、ある一定の条件を満たしたときに、異常検出と判定する。これにより、排水モードとなり、制御部５８は、インフレータ作動部６６に信号を出力することにより、排水装置３０のインフレータ３４を作動させる。
【００４０】
図３に示されるように、インフレータ３４の作動時にガスが発生することで、ガスが接続部３５からエアバック３２に流入し、エアバック３２が膨張する。浴槽１８内に湯水が溜められた状態で、エアバック３２が膨張することで、エアバック３２によって入浴者が持ち上げられると共に、浴槽１８内の湯水がエアバック３２によって押し出される。これにより、浴槽１８内の湯水が浴槽１８の側部２０の上部側からあふれることで排水される。そのとき、エアバック３２は、一般的な自動車に搭載されているエアバックと比較して、ゆっくりと膨張する（例えば、約１０秒かけて膨張する）ように、インフレータ３４のガス発生量及びガス発生時間が調整されている。これにより、入浴者に衝撃を与えずに浴槽１８内の湯水を排水することができる。
【００４１】
上記のような排水システム１２では、制御部５８は、生体情報センサ５２により浴槽１８内の入浴者が異常となり得る所定の入浴状態が検出されたときに、排水装置３０のインフレータ３４を作動させることで、エアバック３２が膨張し、浴槽１８内の湯水が排水される。その際、インフレータ３４の作動時にガスが発生し、エアバック３２が膨張することで、浴槽１８内の入浴者が持ち上げられると共に、浴槽１８内の湯水がエアバック３２によって押し出され、湯水が浴槽１８の上部側からあふれることで排水される。このため、自動排水栓により排水口を開放して浴槽内の湯水を排水する構成と比較して、浴槽１８内の湯水を短時間で排水することができる。したがって、浴槽１８内で入浴者が、例えば意識を失った場合などに、入浴者が浴槽内で溺れてしまうことを未然に防止することができる。
【００４２】
また、排水システム１２では、エアバック３２の膨張によって浴槽１８内の入浴者が持ち上げられるため、浴槽１８内の入浴者の位置や状態にかかわらず、浴槽１８内の湯水を上部側からあふれさせて排水することができる。
【００４３】
さらに、排水システム１２では、生体情報センサ５２は、浴槽１８内の入浴者の心拍数を検出する心拍数センサ、入浴者の位置を検出する人感センサと、入浴者の血圧を検出する血圧センサ、及び入浴者の心電図を検出する心電図センサの少なくとも１つ以上を備えている。制御部５８は、心拍数センサ、人感センサ、血圧センサ、心電図センサの少なくとも１つ以上で検出された情報による入浴者の入浴状態に基づき、排水装置３０のインフレータ３４を作動させる。これにより、例えば、入浴者の心拍数や血圧が許容値よりも高い場合、入浴者が動かない場合などに、浴槽１８内の湯水を上部側からあふれさせて短時間で排水することができる。
【００４４】
なお、排水システム１２には、浴室１４に、音声を出力するスピーカ５０が配置されたリモコン４０が設けられており、制御部５８は、排水装置３０を作動させる前に、浴槽１８内の湯水が排水されることをスピーカ５０から入浴者に報知するようにしてもよい。これにより、入浴者に事前に知らせることなく、いきなり浴槽１８内の湯水が排水されることが回避される。
【００４５】
また、第１実施形態において、エアバックの位置や個数については、浴槽内の湯水を押し出して排水するという目的を達成するために、浴槽の形状に応じて、どの位置に何個設けても構わない。
【００４６】
〔第２実施形態〕
次に、図４〜図７を用いて、本発明の第２実施形態の排水システム１０２を備えた浴室システム１００について説明する。なお、前述した第１実施形態と同一構成部分については、同一番号を付してその説明を省略する。
【００４７】
図４及び図５に示されるように、本実施形態の排水システム１０２では、第１実施形態の排水システム１２の排水装置３０（図１参照）に代えて、浴槽１０４の壁部としての側部１０６に、壁部の一部としての側壁１０６Ｂを外して浴槽１０４内の湯水を排水する排水手段としての排水装置１１０が設けられている。
【００４８】
図５に示されるように、浴槽１０４の側部１０６は、設置面１３０に据え付けられた壁部の他部としての側部本体１０６Ａと、側部本体１０６Ａに離脱可能に取り付けられた側壁１０６Ｂと、を備えている。側壁１０６Ｂの周縁部には、浴槽１０４の側部本体１０６Ａ側に湾曲形状で突出する係合部としての湾曲部１１２が設けられている。湾曲部１１２は、側壁１０６Ｂの略上下方向に沿った平面状の一般面１０７から突出すると共に、一般面１０７の側から見て凹状に窪んだ凹状部１１２Ａを備えている。側壁１０６Ｂの上下方向両側の上下の湾曲部１１２は、上下対称に形成されている。また、図示を省略するが、側壁１０６Ｂの左右方向両側の左右の湾曲部１１２は、左右対称に形成されている。
【００４９】
また、側部本体１０６Ａには、側壁１０６Ｂが取り付けられる位置に開口部１１４が形成されている。側部本体１０６Ａにおける開口部１１４側の周縁部には、側壁１０６Ｂの一般面１０７の側に突出する被係合部としての突出部１１６が設けられている。突出部１１６は、側断面視にて略Ｌ字状に屈曲されると共に、湾曲部１１２の凹状部１１２Ａに係合される凸状部１１６Ａを備えている。凸状部１１６Ａは、開口部１１４と反対側に屈曲されている。側部本体１０６Ａの上下方向両側の上下の突出部１１６は、上下対称に形成されている。また、図示を省略するが、側部本体１０６Ａの左右方向両側の左右の突出部１１６は、左右対称に形成されている。湾曲部１１２の凹状部１１２Ａが、突出部１１６の凸状部１１６Ａと係合することで、側壁１０６Ｂが側部本体１０６Ａに取り付けられている。
【００５０】
また、排水装置１１０は、側部１０６の内部に、湾曲部１１２の凹状部１１２Ａが突出部１１６の凸状部１１６Ａから外れる方向に側壁１０６Ｂを移動させる移動装置１２０を備えている。本実施形態では、移動装置１２０は、側壁１０６Ｂを側部本体１０６Ａに対して浴槽１８の内部側に移動させる構成とされている。移動装置１２０は、モータ１２２と、モータ１２２の回転により側壁１０６Ｂを押す方向に進出するロッド１２４と、を備えている。モータ１２２は、支持部材１２６によって側部１０６に支持されている。なお、支持部材１２６に代えて、モータ１２２は、設置面１３０に支持される構成としてもよい。ロッド１２４は、通常の状態では、側壁１０６Ｂの中央部付近に接触するように配置されている。図７に示されるように、モータ１２２の回転によりロッド１２４が進出することで、ロッド１２４が側壁１０６Ｂを押し、湾曲部１１２の凹状部１１２Ａが突出部１１６の凸状部１１６Ａから外れる。これにより、側壁１０６Ｂが側部本体１０６Ａから外れるようになっている。
【００５１】
また、設置面１３０には、浴槽１０４内の湯水が開口部１１４から落下する位置に排水穴１３２が形成されている。
【００５２】
図６に示されるように、制御部５８は、通信部６０を介してモータ１２２と電気的に接続されている。制御部５８は、モータ１２２の作動を制御する。
【００５３】
排水システム１０２では、図５に示されるように、通常の入浴時には、湾曲部１１２の凹状部１１２Ａが突出部１１６の凸状部１１６Ａに係合していることで、側壁１０６Ｂが側部本体１０６Ａに取り付けられている。図示を省略するが、側壁１０６Ｂと側部本体１０６Ａとの接触部にはシール部材が設けられており、浴槽１０４内の湯水が漏れない構成とされている。この状態で、排水栓２４が排水口２２を塞ぐことで、浴槽１８内に湯水が溜められる。
【００５４】
制御部５８（図６参照）は、生体情報センサ５２（図６参照）により浴槽１８内の入浴者が異常となり得る所定の入浴状態が検出されたとき（異常検出と判定されたとき）に、排水装置１１０を作動させる。すなわち、図７に示されるように、制御部５８は、モータ１２２を回転させてロッド１２４を矢印Ａに示す側壁１０６Ｂを押す方向に移動させる。これにより、ロッド１２４により側壁１０６Ｂが押されることで、湾曲部１１２の凹状部１１２Ａと突出部１１６の凸状部１１６Ａとの係合が外れ、側壁１０６Ｂが側部本体１０６Ａから外れる。これによって、側部本体１０６Ａの開口部１１４が浴槽１８内と連通し、浴槽１８内の湯水が側部本体１０６Ａの開口部１１４から排水される。
【００５５】
上記のような排水システム１０２では、制御部５８は、生体情報センサ５２により浴槽１８内の入浴者が異常となり得る所定の入浴状態が検出されたときに、排水装置１１０のモータ１２２を回転させることで、ロッド１２４により強い力で側壁１０６Ｂが押されて側部本体１０６Ａから外れる。これにより、浴槽１８内の湯水が側部本体１０６Ａの開口部１１４から強制的に排水される。このため、排水システム１０２では、自動排水栓により排水口を開放して浴槽内の湯水を排水する構成と比較して、浴槽１８内の湯水を短時間で排水することができる。したがって、浴槽１８内で入浴者が、例えば意識を失った場合などに、入浴者が浴槽内で溺れてしまうことを未然に防止することができる。
【００５６】
また、排水システム１２では、側壁１０６Ｂが側部本体１０６Ａから外れることで、開口部１１４から浴槽１８内の湯水が排水されるため、浴槽１８内の入浴者の位置や状態によって制限を受けにくい。
【００５７】
また、第２実施形態の排水システム１０２でも、第１実施形態の排水システム１２と同様に、制御部５８は、排水装置１１０を作動させる前に、浴槽１８内の湯水が排水されることをスピーカ５０から入浴者に報知するようにしてもよい。
【００５８】
なお、第２実施形態の排水システム１０２では、浴槽１０４の長手方向の側壁１０６Ｂが側部本体１０６Ａから外れる構成であるが、本発明はこの構成に限定されるものでない。例えば、浴槽１０４の長手方向と直交する方向の側壁や底面が外れる構成でもよい。また、モータは、浴槽の大きさに合わせて何個設けてもよい。
【００５９】
また、第１及び第２実施形態では、リモコン４０に生体情報センサ５２が１個設けられているが、本発明は、この構成に限定されるものではない。例えば、生体情報センサは、浴室の天井や、浴槽内など、他の位置に何個設置してもよい。また、第１及び第２実施形態では、生体情報センサ５２は、入浴者と非接触で検出する方式であったが、本発明は、この構成に限定されるものではなく、浴槽内に、入浴者と接触させて検出する接触型のセンサを設けてもよい。また、例えば、人感センサ、心拍数センサ、血圧センサ、心電図センサのうちの一部（例えば心電図センサ）を接触型のセンサとし、他のセンサを非接触のセンサとしてもよい。
【００６０】
また、第１実施形態では、エアバック３２を膨張させる膨張装置として、インフレータ３４が用いられているが、本発明は、この構成に限定されるものではない。例えば、膨張装置は、ボンベからガスを供給することで、エアバックを膨張させる構成でもよい。
【００６１】
また、第２実施形態では、ロッド１２４をモータ１２２により側壁１０６Ｂを押す方向に移動させたが、本発明はこの構成に代えて、シリンダやソレノイドなどの他の部材によりロッドを側壁等の壁部を押す方向に移動させる構成でもよい。
【００６２】
また、第１及び第２実施形態の排水システムでは、制御部５８は、生体情報センサ５２で検出された情報に基づいて、異常となり得る所定の入浴状態と判定したが、本発明はこの構成に限定されるものではない。例えば、制御部は、外部からのなんらかの信号を受けて、異常となり得る所定の入浴状態と判定しても構わない。
【００６３】
なお、実施形態を挙げて本発明の実施の形態を説明したが、これらの実施形態は一例であり、要旨を逸脱しない範囲内で種々変更して実施できる。また、本発明の権利範囲がこれらの実施形態に限定されず、本発明の要旨を逸脱しない範囲において種々なる態様で実施し得ることは言うまでもない。
【符号の説明】
【００６４】
１０…浴室システム、１２…排水システム、１４…浴室、１８…浴槽、１９…底部（壁部）、２０…側部、３０…排水装置（排水手段）、３２…エアバック、３４…インフレータ（膨張装置）、４０…リモコン（リモートコントローラ）、５０…スピーカ（報知手段）、５２…生体情報センサ（心拍数検出手段、人体検出手段、血圧検出手段、心電図検出手段、入浴状態検出手段）、５４…制御ユニット（制御部）、５８…制御部、１００…浴室システム、１０２…排水システム、１０４…浴槽、１０６…側部（壁部）、１０６Ａ…側部本体（壁部の他部）、１０６Ｂ…側壁（壁部の一部）、１１０…排水装置（排水手段）、１１２…湾曲部（係合部）、１１２Ａ…凹状部（係合部）、１１４…開口部、１１６…突出部（被係合部）、１１６Ａ…凸状部（被係合部）、１２０…移動装置
【図１】
2018164693.tif 000003
【図２】
2018164693.tif 000004
【図３】
2018164693.tif 000005
【図４】
2018164693.tif 000006
【図５】
2018164693.tif 000007
【図６】
2018164693.tif 000008
【図７】
2018164693.tif 000009